(57)【要約】【課題】シュレッダ装置における用紙が投入される投入口の近辺に簡単に固定して、用紙の先端側部分をシュレッダ装置の投入口に導き入れる、シュレッダ装置の用紙導入体を提供する。【解決手段】本発明に係るシュレッダ装置の用紙導入体は、シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有すると共に、用紙排出口の近傍から横方向に板状の立設部材を設け、この立設部材は、シュレッダ装置に固定する接着面を備えている。また、用紙排出口の近傍に、柔軟性を有する立設部材を設け、この立設部材は、シュレッダ装置に固定する接着面を備えている。【選択図】図３
2008272670.tif 000002
【特許請求の範囲】
【請求項１】
シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有すると共に、用紙排出口の近傍から横方向に板状の立設部材を設け、この立設部材は、シュレッダ装置に固定する接着面を備えていることを特徴とするシュレッダ装置の用紙導入体。
【請求項２】
シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有すると共に、用紙排出口の近傍に、柔軟性を有する立設部材を設け、この立設部材は、シュレッダ装置に固定する接着面を備えていることを特徴とするシュレッダ装置の用紙導入体。
【請求項３】
用紙導入体の立設部材を、用紙排出口の前側と後側に設けている請求項１または２に記載のシュレッダ装置の用紙導入体。
【発明の詳細な説明】
【技術分野】
【０００１】
本発明は、シュレッダ装置における用紙が投入される投入口の近辺に簡単に固定して、用紙の先端側部分をシュレッダ装置の投入口に導き入れる、シュレッダ装置の用紙導入体に関するものである。
【背景技術】
【０００２】
従来から、不用になった用紙を細かく裁断するシュレッダ装置として、種々の構造のものが提案されている。
【０００３】
このシュレッダ装置として、近年、比較的に小型の物が開発され、オフィスや一般の家庭等において多く使用されている。しかし、シュレッダ装置の投入口に用紙を直接入れる従来のシュレッダ装置においては、以下のような弊害が生じている。
【０００４】
また、特許文献１に示すように、シュレッダ装置の投入口に所定の安全器具を取り付け、この安全器具を介してシュレッダ装置の投入口に用紙を入れる従来のシュレッダ装置においても、以下のような弊害が生じている。
【特許文献１】実用新案登録第３１２７５８０号
【発明の開示】
【発明が解決しようとする課題】
【０００５】
（シュレッダ装置の投入口に用紙を直接入れる従来のシュレッダ装置の弊害）
シュレッダ装置は、例えば、回転する歯部を若干の間隔を開けて複数隣接させて固定し、全体を横長状に形成した第1カッタと第２カッタにおいて、第1カッタの隣接する歯部の間に第２カッタの歯部が位置する（第２カッタの隣接する歯部の間に第１カッタの歯部が位置する）ように第1カッタと第２カッタを水平に配置し、両カッタを互いに内側向きに回転させて、第1カッタと第２カッタにより用紙を強く挟み込むようにして不用になった用紙を細かく裁断するカッタ機構を備えている。
【０００６】
そして、小型のシュレッダ装置は、カッタ機構を作動させる駆動モータの力が比較的に弱いことから、一度に裁断できる用紙の枚数が少なく設定されている。
【０００７】
例えば、Ａ４版の用紙で、一度に裁断できる用紙の枚数が、５枚以内や１０枚以内等に制限されているのである。
【０００８】
しかし、シュレッダ装置を使用する者は、不要となった用紙をなるべく早く裁断しようとするため、一度に裁断できる許容枚数以上の用紙を投入口に入れてしまう傾向がある。
【０００９】
シュレッダ装置の投入口は、用紙を入れ易くするために若干広めに形成されていることから、シュレッダ装置が一度に裁断できる許容枚数以上の用紙を投入口に入れることが可能となっているのである。
【００１０】
そして、シュレッダ装置の投入口に用紙を入れる際に、用紙の枚数をいちいち数えるのは非常に面倒であるため、一度に裁断できる許容枚数以下の用紙であることを予め確認してから用紙を投入口に入れるような使い方をしている者は、ほぼいないと言える。
【００１１】
そのため、例えば、一度に裁断できる用紙の枚数が１０枚以内のシュレッダ装置において、２０枚以上の用紙を投入口に入れてしまうと、カッタ機構を介して駆動モータに大きな負荷がかかり、駆動モータとカッタ機構がすぐに停止してしまうという弊害が生じている。
【００１２】
そして、駆動モータとカッタ機構が停止したときには、駆動モータとカッタ機構を逆回転させて、カッタ機構に挟まれている用紙を投入口から排出させなければならず、この作業が非常に面倒であった。
【００１３】
また、多くの用紙を一度に投入口に入れてしまって駆動モータとカッタ機構が停止すると、カッタ機構の逆回転さえもできない事態が生じる。
【００１４】
このようなときには、駆動モータを逆回転させるスイッチを押しながら、用紙の端部を手で掴んで、投入口から突出している用紙を力任せに引っ張り出すしかなく、このときも駆動モータとカッタ機構に大きな負荷がかかり、シュレッダ装置の故障の原因となっていた。
【００１５】
この他、シュレッダ装置の投入口に、複数枚の用紙を斜めに入れると、駆動モータとカッタ機構がすぐに停止してしまうという弊害が生じている。
【００１６】
例えば、図２４に示すように、複数枚の用紙を斜めにした状態でシュレッダ装置の投入口に入れると、斜線部分の用紙は、投入口の端部に当たりながらシュレッダ装置のカッタ機構に引き込まれていく。このとき、投入口の端部に当たった斜線部分の用紙は、何層かに折り込まれたような状態となってシュレッダ装置のカッタ機構に引き込まれていく。
【００１７】
そして、斜線部分の用紙は、シュレッダ装置の中に配置されているカッタ機構において、カッタの全体ではなく、端部に位置するカッタ機構の一部分のみにより裁断されることとなる。
【００１８】
そのため、斜めに入れた複数枚の用紙において、何層かに折り込まれたような状態となっている部分が、カッタ機構の一部分のみで裁断されることから、このカッタ機構の一部分にだけ非常に強い負荷がかかり、駆動モータとカッタ機構が停止してしまうのである。
【００１９】
そして、駆動モータとカッタ機構が停止したときには、このカッタ機構を逆回転させて、カッタ機構の端部に挟まれている用紙を投入口から排出させなければならず、この作業が非常に面倒であった。
【００２０】
また、複数枚の用紙を斜めに投入口に入れると、これを裁断するカッタ機構の端部において、裁断した紙屑片が密集した固まり状態となってカッタ機構に留まり、これを継続すると、カッタ機構の端部にだけ非常に強い負荷がかかることとなり、駆動モータとカッタ機構が停止してしまう。
【００２１】
特に、カッタ機構の最端部においては、用紙を裁断することができず、用紙が紐状になってカッタ機構に残ってしまう事態も生じる。
【００２２】
このような場合、カッタ機構の下方に配置されている屑入れケース部分を、引き出した状態でシュレッダ装置の内部に手を入れ、密集した固まり状態となってカッタ機構に留まっている紙屑片や、紐状になっている用紙を指で摘んでカッタ機構の下方に引っ張り出し、屑入れケース内に落下させなければならないため、この作業が非常に面倒であった。
【００２３】
また、カッタ機構に手の指が直接触れることから、非常に危険であった。
【００２４】
この他、シュレッダ装置の投入口に用紙を直接入れる従来のシュレッダ装置においては、シュレッダ装置の投入口に用紙を入れるとき、幼児等が誤って指を入れてしまい、カッタ機構により用紙を裁断すると同時に、指を切断してしまう事態も生じていた。
【００２５】
（安全器具を介してシュレッダ装置の投入口に用紙を入れる特許文献１に示すシュレッダ装置の弊害）
特許文献１に示すシュレッダ装置の安全器具は、投入口と排出口を有するガイド部と、ガイド部の下端部に連設している取付体と、固定バンドから構成されている。
【００２６】
この取付体は、設置対象であるシュレッダに係るシュレッダ上面板に対して水平且つ平行であって略同じ長さに形成されている上面板と、上面板の長さ方向の各両縁部を下方に折り曲げた挟持部から成り、挟持部は鈎状のバンド係止部を有している。
【００２７】
また、ガイド部下部であって、取付体の上面板の裏側には、連絡部が取付体の下方且つ縦方向に設けられている。この連絡部下端に、排出口が設けられている。
【００２８】
そして、連絡部は、シュレッダ投入口に嵌るように形成されている。
【００２９】
このように、特許文献１に示すシュレッダ装置の安全器具は、所定のガイド部をシュレッダ装置に取り付けるための構成が複雑であり、部品点数も多いため、安全器具の製造コストが非常に高いものとなっている。
【００３０】
また、取付体は、設置対象であるシュレッダに係るシュレッダ上面板に対して略同じ長さに形成されている上面板を有することから、シュレッダ装置の大きさが異なるときに、その大きさに応じた複数の取付体(上面板)を用意しなければならず、面倒である。
【００３１】
さらに、取付体の上面板の裏側において、連絡部が取付体の下方且つ縦方向に設けられ、連絡部はシュレッダ投入口に嵌ることから、例えば、メーカーや機種の異なるシュレッダ装置毎に、シュレッダ投入口に嵌る長さを有する連絡部を備えた取付体(上面板)を用意しなければならず、面倒である。
【００３２】
即ち、シュレッダ投入口の形状は統一されておらず、特許文献１に示すシュレッダ装置のように、シュレッダ投入口が深い傾斜状に形成されているものもあれば、傾斜が浅く形成されているものもある。また、このような傾斜が存在しないものもある。
【００３３】
そのため、メーカーや機種の異なるシュレッダ装置毎に、連絡部の長さを変え、シュレッダ投入口に嵌るものを用意しなければならないのである。
【００３４】
特許文献１に示すシュレッダ装置の安全器具における第二の実施の形態と第三の実施の形態も、取付体の構成が異なるものの、取付体の裏側において、連絡部が取付体の下方且つ縦方向に設けられ、連絡部はシュレッダ投入口に嵌ることから、同様の弊害が生じている。
【００３５】
さらに、シュレッダ装置における用紙の投入口近辺の形状も様々で、例えば、投入口が存在するシュレッダ装置の上面が湾曲していたり、また、シュレッダ装置の上面に、投入口として突出状部分を備えているもの等もある。
【００３６】
このような用紙の投入口近辺が特殊な形状であるシュレッダ装置については、特許文献１に示すシュレッダ装置の安全器具では対応できない事態が生じている。
【００３７】
そこで、本発明は如上のような従来存した諸事情に鑑み創出されたもので、シュレッダ装置における用紙が投入される投入口において、用紙の先端側部分を受け入れて、シュレッダ装置の投入口に用紙を導き入れる用紙導入体を提供することにより、シュレッダ装置が裁断できる許容枚数の用紙だけを投入口にまっすぐに入れることを可能にし、また、幼児等が誤って投入口に指を入れてしまう事態の発生を確実に阻止したのである。
【００３８】
さらに、本発明は、シュレッダ装置の投入口に用紙を導き入れる用紙導入体について、用紙排出口の近傍に板状の立設部材を設けたり、また、柔軟性を有する立設部材を設けて、メーカー・機種・大きさ等の異なる多くのシュレッダ装置や、用紙の投入口近辺が特殊な形状であるシュレッダ装置等について、用紙導入体を簡単に固定できるようにしたのである。
【課題を解決するための手段】
【００３９】
本発明に係るシュレッダ装置の用紙導入体は、シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有すると共に、用紙排出口の近傍から横方向に板状の立設部材を設け、この立設部材は、シュレッダ装置に固定する接着面を備えていることで、上述した課題を解決した。
【００４０】
また、シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有すると共に、用紙排出口の近傍に、柔軟性を有する立設部材を設け、この立設部材は、シュレッダ装置に固定する接着面を備えていることで、同じく上述した課題を解決した。
【００４１】
さらに、用紙導入体の立設部材を、用紙排出口の前側と後側に設けていることで、同じく上述した課題を解決した。
【発明の効果】
【００４２】
本発明に係るシュレッダ装置の用紙導入体は、シュレッダ装置における用紙が投入される投入口の近傍に固定する用紙導入体であり、この用紙導入体は、横長状の用紙排出口を有する筒状に形成され、シュレッダ装置が一度に裁断できる複数枚の用紙を通過させる空間を有することから、シュレッダ装置の投入口に、このシュレッダ装置が一度に裁断できる枚数の用紙だけを入れることができる。
【００４３】
即ち、シュレッダ装置が一度に裁断できる枚数よりも多い枚数の用紙を用紙導入体に入れると、用紙導入体における筒状部分や用紙排出口の内壁に当該用紙が突き当たって先に進めなくなるため、複数枚の用紙がそのままシュレッダ装置の投入口に入れられることが無いのである。
【００４４】
その結果、一度に裁断できない枚数の用紙が投入口に入れられ、駆動モータとカッタ機構に強い負荷がかかって駆動モータとカッタ機構が停止してしまう事態の発生を防止することができる。
【００４５】
また、用紙導入体は、横長状の用紙排出口を有する筒状に形成されていることから、この用紙導入体を介して、シュレッダ装置の投入口に複数枚の用紙をまっすぐに入れることができる。
【００４６】
そのため、シュレッダ装置の投入口に、複数枚の用紙を斜めにした状態（図２４参照）で入れることが無くなる。
【００４７】
その結果、複数枚の用紙が投入口の端部に当たって何層かに折り込まれたような状態となる事態の発生を回避している。
【００４８】
そして、何層かに折り込まれたような状態となった複数枚の用紙が、カッタ機構の一部分のみで裁断されるような事態の発生も回避して、シュレッダ装置の駆動モータとカッタ機構が停止することを防止している。
【００４９】
即ち、用紙導入体を介して、シュレッダ装置の投入口に用紙をまっすぐに入れることで、常にカッタ機構の全体で複数枚の用紙を裁断できるのである。
【００５０】
そのため、用紙を裁断する際の負荷がカッタ機構の全体に均等にかかり、シュレッダ装置の駆動モータとカッタ機構に大きな負担をかけない好ましい状況で用紙を連続的に裁断できるのである。
【００５１】
この他、用紙導入体は、用紙排出口の近傍から横方向に板状の立設部材を設け、この立設部材は、シュレッダ装置に固定する接着面を備えていることから、メーカー・機種・大きさ等の異なる多くのシュレッダ装置に、用紙導入体を簡単に固定できる。
【００５２】
また、シュレッダ装置における用紙の投入口近辺の形状も統一されておらず、様々な形状のものが存在する。
【００５３】
例えば、投入口が存在するシュレッダ装置の上面が水平状に形成されているものや、傾斜状に形成されているものがある。
【００５４】
そして、シュレッダ装置の上面にフラットな部分が存在すれば、板状の立設部材をシュレッダ装置の上面に接着させて、形状の異なる多くのシュレッダ装置に、用紙導入体を簡単に固定できる（図３参照）。
【００５５】
さらに、用紙導入体は、用紙排出口の近傍に、柔軟性を有する立設部材を設け、この立設部材は、シュレッダ装置に固定する接着面を備えていることから、投入口が存在するシュレッダ装置の上面が、例えば、湾曲状に形成されている場合であっても、その湾曲面に合わせて立設部材を湾曲させ、シュレッダ装置の湾曲面に立設部材を接着させて、シュレッダ装置に用紙導入体を簡単に固定できる（図１１・図１２参照）。
【００５６】
また、シュレッダ装置の上面に、例えば、投入口として突出状部分を備えている場合であっても、突出状部分に用紙導入体を載置し、柔軟性を有する立設部材を下方に降ろして突出状部分の側面に接着させると共に、立設部材の先端側を折曲させてシュレッダ装置の上面に接着させて、シュレッダ装置に用紙導入体を簡単に固定できる（図１３参照）。
【００５７】
加えて、用紙導入体の立設部材を、用紙排出口の前側と後側に設けていることから、シュレッダ装置の上面に用紙導入体をしっかりと固定できるのである。
【００５８】
この他、本発明に係るシュレッダ装置の用紙導入体により、シュレッダ装置の投入口に直接的に用紙を入れるのではなく、用紙導入体を介して投入口に用紙を入れることとなる。
【００５９】
その結果、シュレッダ装置の投入口に用紙を直接入れる従来のシュレッダ装置において生じていた、幼児等が誤ってシュレッダ装置の投入口に指を入れてしまい、カッタ機構により指を切断してしまう事態も回避している。
【００６０】
特に、用紙導入体により、シュレッダ装置の投入口が覆われたような状態を作り出すことができ、幼児等が誤って投入口に指を入れてしまう事態を回避している。また、用紙導入体により、シュレッダ装置のカッタ機構との距離を充分に確保することで、指を切断してしまう事態を回避している。
【発明を実施するための最良の形態】
【００６１】
以下に、本発明を実施するための最良の形態を、図面を参照して説明する。
【００６２】
本発明に係るシュレッダ装置Ｓの用紙導入体１は、図１乃至図３に示すように、シュレッダ装置Ｓにおける用紙Pが投入される投入口２に沿って取り付けられるものである。
【００６３】
この用紙導入体１は、図１・図２に示すように、横長状の用紙排出口３を有する筒状部分４を備えている。
【００６４】
また、用紙導入体１の筒状部分４は、シュレッダ装置Ｓが一度に裁断できる複数枚の用紙Ｐだけを通過させる空間を有している。
【００６５】
この空間としては、例えば、図２に示すように、筒状部分４における横長状の用紙排出口３において、その縦幅Hが、一度に裁断できる複数枚の用紙Ｐだけを通過させるものとなっている。
【００６６】
尚、図２に示すように、用紙排出口３を含む筒状部分４の内壁全体により、一度に裁断できる複数枚の用紙Ｐだけを通過させる空間を形成するものであっても良い。また、図１８に示すように、用紙排出口３だけが一度に裁断できる複数枚の用紙Ｐだけを通過させる空間を形成し、他の部分はそれよりも大きな縦幅Hを有するものであっても差し支えない。
【００６７】
さらに、図１に示すように、筒状部分４における用紙Ｐの入り口部分５が、若干大きく形成されている。
【００６８】
また、用紙導入体１は、図１・図２に示すように、用紙排出口３の後側に、長方形状の板状に形成した立設部材６を延設している。この立設部材６の裏側には、図２に示すように、シュレッダ装置Ｓに固定するための接着面Qを備えている。この接着面Qには、剥離可能な紙片が貼着されている。
【００６９】
尚、立設部材６は、シュレッダ装置Ｓに接着して固定できるものであれば、どのような形状であっても差し支えない。
【００７０】
そして、立設部材６の紙片を剥離し、立設部材６の接着面Qをシュレッダ装置Ｓに接着させて、図３に示すように、用紙導入体１の筒状部分４が、シュレッダ装置Ｓのフラットな上面に設けた投入口２に対して傾斜状に固定される。
【００７１】
このとき、筒状部分４の用紙排出口３と、シュレッダ装置Ｓにおける用紙Ｐが投入される投入口２が、合致するような状態となっている。
【００７２】
そのため、図４に示すように、複数枚の用紙Ｐを用紙導入体１における用紙Ｐの入り口部分５に入れると、筒状部分４により用紙Ｐの先端側部分がシュレッダ装置Ｓの投入口２に向けて導かれ、筒状部分４の用紙排出口３から用紙Ｐの先端部分が突出すると、そのままシュレッダ装置Ｓの投入口２に進入するのである。
【００７３】
尚、シュレッダ装置Ｓが一度に裁断できる枚数よりも多い枚数の用紙Ｐを用紙導入体１における用紙Ｐの入り口部分５に入れたときには、筒状部分４のいずれかの内壁に突き当たって先に進めなくなるため、一度に裁断できる枚数よりも多い枚数の用紙Ｐが、そのままシュレッダ装置Ｓの投入口２に進入することはない。
【００７４】
また、図５に示すように、立設部材６を、用紙排出口３の前側に延設させても良い。
【００７５】
そして、立設部材６の紙片を剥離し、立設部材６の接着面Qをシュレッダ装置Ｓに接着させて、図６に示すように、用紙導入体１の筒状部分４が、シュレッダ装置Ｓの傾斜している上面に設けた投入口２に対して傾斜状に固定される。
【００７６】
さらに、立設部材６を、用紙排出口３の前側と後側の両方に延設させても良い。
【００７７】
そして、それぞれの立設部材６の紙片を剥離し、立設部材６の接着面Qをシュレッダ装置Ｓに接着させて、図７に示すように、用紙導入体１の筒状部分４が、シュレッダ装置Ｓの傾斜している上面に設けた投入口２に対して傾斜状に固定される。
【００７８】
尚、用紙導入体１の筒状部分４における用紙排出口３の縁部の全体に、接着面Qを備えるように形成しても良い。
【００７９】
また、図８に示すように、用紙導入体１の用紙排出口３の後側に、柔軟性を有する長方形状の立設部材７を設けても良い。この立設部材７の裏側には、シュレッダ装置Ｓに固定する接着面Qを備えている。
【００８０】
さらに、図９に示すように、用紙導入体１の用紙排出口３の前側に、柔軟性を有する長方形状の立設部材７を設けても良い。
【００８１】
また、図１０に示すように、用紙導入体１の用紙排出口３の前側と後側に、柔軟性を有する長方形状の立設部材７を設けても良い。
【００８２】
柔軟性を有する部材としては、例えば、布部材、ゴム部材、薄い合成樹脂部材等がある。
【００８３】
そして、図１１(ａ)に示すように、投入口２が存在するシュレッダ装置Ｓの上面が、湾曲状に形成されている場合であっても、図１１(ｂ)
に示すように、その湾曲面に合わせて立設部材７を湾曲させ、シュレッダ装置Ｓの湾曲面に立設部材７を接着させて、シュレッダ装置Ｓに用紙導入体１を簡単に固定できる。
【００８４】
また、図１２(ａ)に示すように、投入口２が存在するシュレッダ装置Ｓの上面が、投入口２の長さ方向に沿って湾曲状に形成されている場合であっても、図１２(ｂ)
に示すように、その湾曲面に合わせて立設部材７を湾曲させ、シュレッダ装置Ｓの湾曲面に立設部材７を接着させて、シュレッダ装置Ｓに用紙導入体１を簡単に固定できる。
【００８５】
このとき、用紙導入体１の筒状部分４における両側部分と、シュレッダ装置Ｓの投入口２との間に隙間が生じることとなるが、立設部材７を介してシュレッダ装置Ｓの投入口２に用紙導入体１の筒状部分４がしっかりと固定されるため、問題はない。
【００８６】
さらに、図１３(ａ)に示すように、シュレッダ装置Ｓの上面に、例えば、投入口２として突出状部分１６を備えている場合であっても、図１３(ｂ)に示すように、突出状部分１６に用紙導入体１を載置し、柔軟性を有する立設部材７を下方に降ろして突出状部分１６の側面に接着させると共に、立設部材７の先端側を折曲させてシュレッダ装置Ｓの上面に接着させて、シュレッダ装置Ｓに用紙導入体１を簡単に固定できる。
【００８７】
尚、用紙導入体１の用紙排出口３の近傍に、柔軟性を有する長方形状の立設部材７を取り付ける手段としては、例えば、長方形状の布部材の一部分と、筒状部分４の壁面を当接させ、所定の接着剤を用いて両者を固定する手段等がある。
【００８８】
また、長方形状のゴム部材の一部分と、筒状部分４の壁面を当接させ、ネジ止めやリベット止めをして、両者を固定する手段等がある。
【００８９】
さらに、長方形状の布部材やゴム部材の一部分と、筒状部分４の壁面を当接させ、布部材やゴム部材の一部分を筒状部分４の壁面に押し付けるバンド部材を取り付けて、両者を固定する手段等がある。
【００９０】
また、用紙導入体１の用紙排出口３の近傍に、板状に形成した立設部材６と、柔軟性を有する立設部材７を、組み合わせて設けても良い。
【００９１】
例えば、用紙排出口３の前側に、長方形状の板状に形成した立設部材６を延設し、用紙排出口３の後側に、柔軟性を有する長方形状の立設部材７を設けるのである。
【００９２】
また、用紙排出口３の前側に、柔軟性を有する長方形状の立設部材７を設け、用紙排出口３の後側に、長方形状の板状に形成した立設部材６を延設しても良い。
【００９３】
このように、用紙導入体１の用紙排出口３の近傍に、板状に形成した立設部材６と、柔軟性を有する立設部材７を、組み合わせて設けることにより、投入口２が存在するシュレッダ装置Ｓの上面がどのような形状であっても、用紙導入体１をシュレッダ装置Ｓに簡単に固定できる。
【００９４】
尚、用紙導入体１の用紙排出口３の横側に、板状に形成した立設部材６を延設しても良い。また、用紙排出口３の横側に、柔軟性を有する立設部材７を設けても良い。
【００９５】
この他、用紙導入体１の筒状部分４の形状は、図１乃至図１３に示すものに限定されることはない。
【００９６】
例えば、図１４示すように、用紙導入体１の筒状部分４を長く形成し、若干屈曲させても良い。このとき、複数枚の用紙Ｐを用紙導入体１における用紙Ｐの入り口部分５に入れると、図１５に示す筒状部分４内の案内面８に用紙Ｐの先端部分が当たってこの案内面８に沿って進み、筒状部分４の用紙排出口３から用紙Ｐの先端部分が突出して、そのままシュレッダ装置Ｓの投入口２に進入するのである。
【００９７】
また、図１６に示すように、用紙導入体１の筒状部分４に、用紙Ｐを下方から支持する支持板９を取り付けても良い。この支持板９は、その両側に側壁１０を備えている。
【００９８】
そのため、図１７に示すように、用紙導入体１の支持板９に用紙Ｐの先端側部分を載せて、複数枚の用紙Ｐの両サイドを支持板９の両側壁１０に当接させながら、複数枚の用紙Ｐを筒状部分４にまっすぐに入れることができる。
【００９９】
さらに、図１８に示すように、用紙導入体１の筒状部分４について、用紙排出口３が一度に裁断できる複数枚の用紙Ｐを通過させる空間を有するように形成し、その上方部分は、用紙排出口３よりも大きな縦幅Hを有するように形成しても良い。また、用紙排出口３の上方部分は、徐々に大きな縦幅Hを有するように形成されている。
【０１００】
また、図１９に示すように、用紙導入体１の筒状部分４に、用紙Ｐを上方から支持する支持板１１を取り付けても良い。この支持板１１は若干湾曲しており、用紙Ｐの先端部を、筒状部分４に滑らかに入れることができる。
【０１０１】
尚、図１乃至図１９に示すタイプの用紙導入体１において、筒状部分４を長めに形成し、シュレッダ装置Ｓの投入口２への取り付け傾斜角度を大きくしたときには、筒状部分４に用紙Ｐの先端側部分を入れて、用紙Ｐから手を離せば、複数枚の用紙Ｐが自然にスライドして投入口２までたどり着き、シュレッダ装置Ｓの投入口２に用紙Ｐを入れることができる。
【０１０２】
一方、本発明に係るシュレッダ装置Ｓの用紙導入体１を、図２０に示すように、用紙Ｐを下方から支持する支持板１２の両側に、側壁１３を設けて形成しても良い。この支持板１２の端部には、長方形状の立設部材１４を横方向に延設している。この立設部材１４は、シュレッダ装置Ｓに固定するための接着面Qを備えている。
【０１０３】
そして、用紙導入体1は、図２１に示すように、この立設部材１４を介して、
シュレッダ装置Ｓの投入口２に沿うようにして、傾斜状に取り付けられる。
【０１０４】
そのため、図２２に示すように、用紙導入体１の支持板１２に用紙Ｐを載せて、複数枚の用紙Ｐの両サイドを支持板１２の両側壁１３に当接させながら、複数枚の用紙Ｐを、シュレッダ装置Ｓの投入口２にまっすぐに入れることができる。
【０１０５】
また、このタイプの用紙導入体１において、図２３に示すように、シュレッダ装置Ｓの投入口２側の支持板１２と側壁１３に、案内板１５を取り付けても良い。この案内板１５は、用紙Ｐの先端部を突き当てて、シュレッダ装置Ｓの投入口２に用紙Ｐを導くものである。
【０１０６】
そして、支持板１２と案内板１５は、シュレッダ装置Ｓが一度に裁断できる複数枚の用紙Ｐを通過させる空間を有している。
【０１０７】
また、図２０乃至図２３に示すタイプの用紙導入体１においても、シュレッダ装置Ｓの投入口２への取り付け傾斜角度を大きくしたときには、用紙導入体１の支持板１１に用紙Ｐを載せて、用紙Ｐから手を離せば、複数枚の用紙Ｐが自然にスライドして投入口２までたどり着き、シュレッダ装置Ｓの投入口２に用紙Ｐを入れることができる。
【産業上の利用可能性】
【０１０８】
本発明に係るシュレッダ装置の用紙導入体は、給紙機構を備えていないシュレッダ装置に、幅広く利用することができる。
【図面の簡単な説明】
【０１０９】
【図１】用紙排出口の後側に、板状の立設部材を延設しているタイプの用紙導入体の構成を示す斜視図である。
【図２】用紙排出口の後側に、板状の立設部材を延設しているタイプの用紙導入体の構成を示す斜視図である。
【図３】用紙排出口の後側に、板状の立設部材を延設しているタイプの用紙導入体を、シュレッダ装置に固定した状態を示す斜視図である。
【図４】用紙排出口の後側に、板状の立設部材を延設しているタイプの用紙導入体を、シュレッダ装置に固定し、この用紙導入体に複数枚の用紙を入れている状態を示す斜視図である。
【図５】用紙排出口の前側に、板状の立設部材を延設しているタイプの用紙導入体の構成を示す斜視図である。
【図６】用紙排出口の前側に、板状の立設部材を延設しているタイプの用紙導入体を、シュレッダ装置に固定した状態を示す斜視図である。
【図７】用紙排出口の前側と後側に、板状の立設部材を延設しているタイプの用紙導入体を、シュレッダ装置に固定した状態を示す斜視図である。
【図８】用紙排出口の後側に、柔軟性を有する立設部材を設けているタイプの用紙導入体の構成を示す斜視図である。
【図９】用紙排出口の前側に、柔軟性を有する立設部材を設けているタイプの用紙導入体の構成を示す斜視図である。
【図１０】用紙排出口の前側と後側に、柔軟性を有する立設部材を設けているタイプの用紙導入体の構成を示す斜視図である。
【図１１】シュレッダ装置の投入口が存在する上面の形状と、用紙導入体の取付状態を示すもので、（ａ）はシュレッダ装置の上面が湾曲状に形成されている状態を示す斜視図、（ｂ）はその湾曲面に立設部材を接着させて、シュレッダ装置に用紙導入体を固定した状態を示す斜視図である。
【図１２】シュレッダ装置の投入口が存在する上面の形状と、用紙導入体の取付状態を示すもので、（ａ）はシュレッダ装置の上面が投入口の長さ方向に沿って湾曲状に形成されている状態を示す斜視図、（ｂ）はその湾曲面に立設部材を接着させて、シュレッダ装置に用紙導入体を固定した状態を示す斜視図である。
【図１３】シュレッダ装置の投入口の形状と、用紙導入体の取付状態を示すもので、（ａ）はシュレッダ装置の上面に、投入口として突出状部分を備えている状態を示す斜視図、（ｂ）はその突出状部分に用紙導入体を固定した状態を示す斜視図である。
【図１４】筒状部分を長く形成し、若干屈曲させたタイプの用紙導入体の構成を示す斜視図である。
【図１５】筒状部分を長く形成し、若干屈曲させたタイプの用紙導入体の構成を示す断面図である。
【図１６】筒状部分に、用紙を下方から支持する支持板を取り付けているタイプの用紙導入体の構成を示す斜視図である。
【図１７】筒状部分に、用紙を下方から支持する支持板を取り付けているタイプの用紙導入体をシュレッダ装置に固定し、この用紙導入体に複数枚の用紙を入れている状態を示す斜視図である。
【図１８】筒状部分の上方が、用紙排出口よりも徐々に大きくなる縦幅を有するタイプの用紙導入体の構成を示す斜視図である。
【図１９】筒状部分に、用紙を上方から支持する支持板を取り付けているタイプの用紙導入体の構成を示す斜視図である。
【図２０】用紙を下方から支持する支持板の両側に側壁を設け、支持板の端部に板状の立設部材を延設しているタイプの用紙導入体の構成を示す斜視図である。
【図２１】用紙を下方から支持する支持板の両側に側壁を設け、支持板の端部に板状の立設部材を延設しているタイプの用紙導入体を、シュレッダ装置に固定した状態を示す斜視図である。
【図２２】用紙を下方から支持する支持板の両側に側壁を設け、支持板の端部に板状の立設部材を延設しているタイプの用紙導入体を、シュレッダ装置に固定し、この用紙導入体に複数枚の用紙を入れている状態を示す斜視図である。
【図２３】用紙を下方から支持する支持板の両側に側壁を設け、支持板の端部に板状の立設部材を延設しているタイプの用紙導入体において、シュレッダ装置の投入口側の支持板と側壁に、案内板を取り付けた構成を示す斜視図である。
【図２４】複数枚の用紙を斜めにした状態で投入口に入れている、従来のシュレッダ装置の状態を示す斜視図である。
【符号の説明】
【０１１０】
Ｓ…シュレッダ装置
Ｐ…用紙
Ｈ…縦幅
Ｑ…接着面
１…用紙導入体
２…投入口
３…用紙排出口
４…筒状部分
５…入り口部分
６…立設部材
７…立設部材
８…案内面
９…支持板
１０…側壁
１１…支持板
１２…支持板
１３…側壁
１４…立設部材
１５…案内板
１６…突出状部分
【図１】
2008272670.tif 000003
【図２】
2008272670.tif 000004
【図３】
2008272670.tif 000005
【図４】
2008272670.tif 000006
【図５】
2008272670.tif 000007
【図６】
2008272670.tif 000008
【図７】
2008272670.tif 000009
【図８】
2008272670.tif 000010
【図９】
2008272670.tif 000011
【図１０】
2008272670.tif 000012
【図１１】
2008272670.tif 000013
【図１２】
2008272670.tif 000014
【図１３】
2008272670.tif 000015
【図１４】
2008272670.tif 000016
【図１５】
2008272670.tif 000017
【図１６】
2008272670.tif 000018
【図１７】
2008272670.tif 000019
【図１８】
2008272670.tif 000020
【図１９】
2008272670.tif 000021
【図２０】
2008272670.tif 000022
【図２１】
2008272670.tif 000023
【図２２】
2008272670.tif 000024
【図２３】
2008272670.tif 000025
【図２４】
2008272670.tif 000026